(57)【要約】  【課題】収納物が連動して引出される引き出し式容器に電極を設置する際には、配線は引き出し式収納室が開かれた状態でも届く長さが必要となり、また、引き出し式収納室が閉じられるときには配線には弛みができるので、他の部位と干渉しない設計が必要となる。また、配線が長くなることで制御部からの出力特性が変化する。すなわち、電界強度が低下し解凍に悪影響を及ぼす。  【解決手段】引き出し式収納室１を収める筐体３の中にある引き出し容器１ａ内の収納空間を挟んで収納室内に対向して設けられた電極５ａ、５ｂと、電極５ａ、５ｂへの通電制御を行う制御部６とで構成し、配線７の干渉・噛み込み無く引き出し式容器１ａと連動する引き出し式扉４を開閉することができる。【選択図】図１
2008106994.tif 000002
【特許請求の範囲】
【請求項１】
筐体内に形成される（引き出し式）収納室と、前記（引き出し式）収納室の開口部を開閉する引き出し式扉と、前記（引き出し式）収納室に収納され前記引き出し扉と共に引き出し式容器とを備えて、前記引き出し式容器内の収納空間を挟んで前記（引き出し式）収納室内に対向して設けられた電極と、前記電極への通電制御を行う制御部とを有する収納庫。
【請求項２】
前記電極を引き出し式収納室内に備え、食品・食材等を載置する引出し式容器と、前記引出し式容器と共に同時に引出され、収納される引き出し式扉と、前記引き出し式扉を閉じたときに前記電極と前記制御部との配線間に設けられた接点部が接合され、前記電極への通電が可能となる収納庫。
【請求項３】
前記接点部付近に結露防止用ヒータを備えた請求項２に記載の収納庫。
【請求項４】
前記引き出し式扉の開閉を検知する開閉検知手段を備え、前記制御部は、前記引き出し式扉が開かれたときに前記電極への通電を停止させる請求項１から請求項３のいずれか一項に記載の収納庫。
【請求項５】
前記制御部を前記引き出し式収納室、または前記枠体の構成部品に取り付けたことを特徴とする請求項１から請求項４のいずれか一項に記載の収納庫。
【請求項６】
前記制御部を断熱壁によって覆ったことを特徴とする請求項１から請求項５のいずれか一項に記載の収納庫。
【請求項７】
前記引き出し式収納室、前記電極、前記制御部、配線のうち、ひとつ以上を含む領域を、電界、磁界等の漏洩を軽減するシールド材で囲んだことを特徴とする請求項１から請求項６のいずれか一項に記載の収納庫。
【請求項８】
冷凍装置を備えて収納室内を冷却可能とした請求項１から請求項７のいずれか一項に記載の冷蔵庫。
【発明の詳細な説明】
【技術分野】
【０００１】
本発明は、収納室に高電圧を印加する電極を備えた冷蔵庫に関するものである。
【背景技術】
【０００２】
近年、業務用冷蔵庫や解凍装置において、食品の保存環境内に高電圧を印加することで、食品の鮮度保持能力や解凍能力の向上を促す効果が得られることが知られている。
【０００３】
このような、高電圧を印加するための電極を設けたものとして、導電性材料の食品・食材等を載置する固定した棚板を電極とした解凍保存庫がある（例えば、特許文献１参照）。
【０００４】
図７は特許文献１に記載された従来の解凍保存庫の縦断面図を示すものである。
【０００５】
図７において、従来の解凍保存庫は高電圧ユニット部１０１と解凍保存ユニット部１０２の２つのユニット部から構成されている。高電圧ユニット部１０１は商用の交流電源を使用し、電圧調整器としてトランス１０３を介して高電圧トランス１０４に適切な電力量を供給する。この高電圧トランス１０４において１０００Ｖ〜３００００Ｖに昇圧するように調整されている。
【０００６】
また、解凍保存ユニット部１０２にはアースをとった汎用の冷蔵庫１０５を使用し、解凍設定温度は＋１℃〜−３℃に設定されており、冷凍物は、電極１０６に乗せられた形で配する。
【０００７】
電極１０６は電導性材料の棚板を絶縁板によって覆われており、高電圧コード１０７によって接続されている。この構成において高電圧トランス１０４による高い電圧を電極１０６にかけると、高電圧で分極した低周波の微小電流により、食品に帯電し、食品内部で微弱な電気の流れが生じる。この交流による静電誘導による電荷の移動が食品に対して微弱な熱エネルギーを与える結果、氷温（摂氏０度）をわずかに下回る温度域において食品が凍らない状況ができる。これにより、菌の繁殖しにくい温度環境下での解凍が可能になり、食品の保存性が向上する。
【特許文献１】特開平１１−３２７４６号公報
【発明の開示】
【発明が解決しようとする課題】
【０００８】
しかしながら、上記従来の構成は、導電性材料を電極とした棚板と配線を直接接続しているため、棚板を取り外して他の段に組み換えたり洗浄することができない。よって、棚板を取り外すためには配線を切断するか、極端に長い配線を使用する方法がある。しかし、当然、棚板を取り外す度に配線を切断することはできず、また、極端に長い配線を使用すると電極に印加される電圧の低下や周波数特性の変化が懸念される。これは、収納容器自体が動作する引き出し式扉に電極を設置する際にも同様の課題であり、この構成では引き出しの開閉すらできない。
【０００９】
本発明は、上記従来の課題を解決するもので、引き出し式収納容器を収める筐体側に電極を設けることで、配線の干渉無く引き出し式扉を開閉することができる冷蔵庫を提供するものである。
【課題を解決するための手段】
【００１０】
上記従来の課題を解決するために、本発明の冷蔵庫は、引き出し式収納室と、引き出し式収納室を収める枠体の天面と底面、または左右側面、または前後面に少なくとも一対を対向して設けられた電極と、電極への通電制御を行う制御部とで構成したものである。
【００１１】
これによって、引き出し式容器外に電極を設置しても、収納物に電極への通電による効果を与えることができ、且つ配線の干渉無く引き出し式扉を開閉することができる。
【００１２】
また、本発明の冷蔵庫は、電極を引き出し式収納室内に備え、引き出し式収納室を閉じたときに電極と制御部との配線間に設けられた接点部が接合され通電するように構成したものである。
【００１３】
これによって、電極を引き出し式容器外に設置することができ、且つ配線の干渉無く引き出し式収納室を開閉することができる。
【００１４】
また、本発明の冷蔵庫は、接点部付近に結露防止用ヒータを備えたものである。
【００１５】
これによって、接点部への結露や凍結による漏電を防止することができる。
【００１６】
また、本発明の冷蔵庫は、引き出し式扉の開閉を検知する開閉検知手段を備えたものである。
【００１７】
これによって、制御部は、引き出し式扉が開かれたときに電極への通電を停止させ、収納物に電極への通電による効果を与えることができない際には通電を停止するので、無駄な電力消費と、感電事故や電界、磁界等の漏洩を防止することができる。
【００１８】
また、本発明の冷蔵庫は、制御部を前記引き出し式収納室、または前記枠体の構成部品に取り付けたものである。
【００１９】
これによって、制御部と電極の距離はほぼ最短となるため、配線の長さをできる限り短くすることが可能となり、配線のインピーダンスや浮遊容量の発生等によって生じる電圧低下や周波数等の特性変化を防止することができる。
【００２０】
また、本発明の冷蔵庫は、制御部を断熱壁によって覆ったものである。
【００２１】
これによって、低温度帯での制御部の動作不良や制御部への結露を防止することができる。
【００２２】
また、本発明の冷蔵庫は、引き出し式収納室、電極、制御部、配線のうち、ひとつ以上を含む領域を、電界、磁界等の漏洩を軽減するシールド材で囲んだものである。
【００２３】
これによって、電界、磁界等の漏洩を軽減し、他の機器へのノイズや雑音等の悪影響を防止することができる。
【発明の効果】
【００２４】
本発明の冷蔵庫は、収納室内に電極への通電による任意の効果を与える構成において、引き出し式収納室を収める枠体側に電極を設けることで、配線の干渉無く引き出し式扉を開閉することができる。
【発明を実施するための最良の形態】
【００２５】
請求項１に記載の発明は、筐体内に形成される（引き出し式）収納室と、前記（引き出し式）収納室の開口部を開閉する引き出し式扉と、前記（引き出し式）収納室に収納され前記引き出し扉と共に引き出し式容器とを備えて、前記引き出し式容器内の収納空間を挟んで前記（引き出し式）収納室内に対向して設けられた電極と、前記電極への通電制御を行う制御部とを有することにより収納物に電極への通電による効果を与えることによって、配線の干渉無く引き出し式扉を開閉することができる。
【００２６】
請求項２に記載の発明は、前記電極を引き出し式収納室内に備えたものであり、前記引き出し式収納室を閉じたときに前記電極と前記制御部との配線間に設けられた接点部が接合され通電することによって、電極を引き出し式収納室内に設置することができ、且つ配線の干渉無く引き出し式扉を開閉することができる。
【００２７】
請求項３に記載の発明は、請求項２に記載の発明に加えて、前記接点部付近に結露防止用ヒータを備えたものであり、低温環境下でも接点部をある程度の温度で加熱することによって、接点部への結露や凍結による漏電を防止することができる。
【００２８】
請求項４に記載の発明は、請求項１から請求項３のいずれか一項に記載の発明に加えて、前記引き出し式収納室の開閉を検知する開閉検知手段を備え、前記制御部は、前記引き出し式扉が開かれたときに前記電極への通電を停止させる構成としたものであり、制御部は、引き出し式扉が開かれて、収納物に電極への通電による効果を与えることができない際には通電を停止することによって、無駄な電力消費と、感電事故や電界、磁界等の漏洩を防止することができる。
【００２９】
請求項５に記載の発明は、請求項１から請求項４のいずれか一項に記載の発明において、前記制御部を前記引き出し式収納室、または前記筐体の構成部品に取り付けたものであり、制御部と電極の距離はほぼ最短となり、配線の長さをできる限り短くすることが可能となるため、配線のインピーダンスや浮遊容量の発生等によって生じる電圧低下や周波数等の特性変化を防止することができる。
【００３０】
請求項６に記載の発明は、請求項１から請求項５のいずれか一項に記載の発明において、前記制御部を断熱壁によって覆ったものであり、制御部の電子部品類にそれぞれ定められた使用温度範囲を保つことによって、低温度帯での制御部の動作不良を防止し、また制御部への結露を防止することができる。
【００３１】
請求項７に記載の発明は、請求項１から請求項６のいずれか一項に記載の発明において、前記引き出し式収納室、前記電極、前記制御部、配線のうち、ひとつ以上を含む領域を、電界、磁界等の漏洩を軽減するシールド材で囲んだものであり、電界、磁界等の漏洩を軽減することによって、他の機器へのノイズや雑音等の悪影響を防止することができる。
【００３２】
請求項８に記載の発明は、請求項１から請求項７のいずれか一項に記載の発明において、冷凍装置を備えて請求項１から請求項７のいずれか一項に記載の冷蔵庫のみならず過冷却状態で温度を一定に保ちながら収納物の鮮度を保持し、より長期保存をすることが可能である。
【００３３】
以下、本発明の実施の形態について、図面を参照しながら説明するが、従来例または先に説明した実施の形態と同一構成については同一符号を付して、その詳細な説明は省略する。尚、この実施の形態によってこの発明が限定されるものではない。
【００３４】
（実施の形態１）
図１は本発明の実施の形態１における収納庫（解凍庫）または冷蔵庫の引き出し式収納室の縦断面図、図２は本発明の実施の形態１における収納庫（解凍庫）または冷蔵庫の制御ブロック図である。
【００３５】
図１及び図２において、引き出し式収納室１は断熱壁２ａ、２ｂでそれぞれ構成された筐体３と引き出し式扉４で囲われ、使用者は食品・食材等の収納物を載置する引き出し容器１ａとこれに連動する引き出し式扉４の押引き操作によって、引き出し式扉４を開閉することができる。
【００３６】
筐体３の室内側の天面と底面にはそれぞれ電極５ａ、５ｂが対向して設けられている。電極５ａ、５ｂは枠体３の天面と底面以外にも、左右側面、または前後面に設けても良いし、いずれか二組以上を設けても良い。本実施の形態では制御部６は配線７を通して、任意の交流高電圧を電極５ａ、５ｂに印加する。
【００３７】
制御部６は、商用電源８の入力を整流回路部９で直流に整流し、更にスイッチング回路部１０で交流の矩形波に変換するインバータ回路を搭載している。スイッチング回路部１０はマイコン１１、及び駆動回路部１２によって駆動される。スイッチング回路部１０で発生させた交流の矩形波は昇圧トランス１３で任意の電圧まで昇圧し、電極５ａ、５ｂに印加する。図示はしていないが、出力電圧や周波数をフィードバック制御する回路部を搭載すればなお良い。
【００３８】
筐体３及び引き出し式扉４の周囲は防磁シールド等のシールド材１４で囲まれており、引き出し式収納室１内からの漏洩磁界等を防止する。また、筐体３と引き出し式扉４の密閉性を高めるために設けられているガスケット１５にも金属材料等を含ませ、シールドの機能を持たせることが望ましい。
【００３９】
また、引き出し式収納室１の開閉状態を検知するために、スイッチやホール素子を利用した開閉検知手段１６を設けている。
【００４０】
以上の構成において、本発明の実施の形態における冷蔵庫の作用の一例を説明する。
【００４１】
図３は本発明の実施の形態１における収納庫（解凍庫）または冷蔵庫の制御フローチャートである。以下、本図を用いて動作を説明する。
【００４２】
引き出し式収納室１内は−１０℃〜−５℃程度の低温に保たれ、食品が保存されている。
【００４３】
まずマイコン１１は開閉検知手段１６からの検知信号を受け、引き出し式収納室１の開閉状態を判別する（ステップ１）。通常保存時は、引き出し式収納室１は閉じられており、この引き出し式収納室１の上下に対向して電極５ａ、５ｂが位置することになる。
【００４４】
引き出し式収納室１が閉じられていた場合、制御部６は配線７を通して、数１０ｋＨｚ、数ｋＶ〜数１０ｋＶの交流高電圧を電極５ａ、５ｂに印加する（ステップ２）。これにより、枠体３の上下にそれぞれ設けた電極５ａ、５ｂの間に電場、磁場、またはこの両方を発生させる。もし、引き出し式収納室１の底面が導電性材料で構成されていれば、上下の電極５ａ、５ｂによる電場や磁場の発生を妨げてしまうが、引き出し式収納室１は樹脂等の非導電性材料を用いているため、電場や磁場の発生を妨げることはない。
【００４５】
また、電場と磁場を発生させる手段を、それぞれ別に設けても良い。
【００４６】
このようにして発生させた電場、及び磁場によって引き出し式収納室１内に収納された食品に与えられる効果は次の様に考えられている。
【００４７】
磁場が経時的に変動すると、電磁誘導により磁場の周りに渦状の電場が誘導される。そして電場は磁場の振動に伴い反転する。一方、食品等の物体に含まれている水は、水分子がその結合角と電子配置の非対称性に起因する電気双極子を持っているため、電場の方向に配向され且つ電場の反転に伴い振動し、該振動とその際の摩擦により発生する微小な熱により凍結が抑制される。
【００４８】
また、水分子中の水素原子核は磁気双極子を持っているのでスピン量子数に応じたエネルギー準位で磁場方向に配向され、磁場が経時的に変動することで水素原子核が振動し、それが水分子同士の水素結合に影響を及ぼし、僅かではあるが水分子の分子運動が活発化され、それによっても水分の凍結が抑制される。
【００４９】
更に、水分中に含まれる電解質のイオンが、その極性により電場の方向に沿って移動することにより渦電流が発生し、それにより発生する微小な熱によっても凍結が抑制される。
【００５０】
これらの複合的な作用により、電場や磁場の強度、周波数の大きさにも起因するが食品・食材等の成分に含まれている水分を最大氷結晶生成温度帯以下まで凍結させずに、過冷却することが可能になる。
【００５１】
過冷却状態になった食品は、通常の凍結温度下に置かれても凍結しないため解凍が不要であり、また、凍結解凍による食品内の細胞破壊等を抑制するため、高い保存状態を確保することができる。
【００５２】
また、引き出し式容器は樹脂類（ＰＰ・ＰＳなど）にて構成され、一般的に電界・磁界が通過するので、前記の過冷却効果を発揮することは可能である。
【００５３】
逆に金属・金属粉・金網（メッシュ）・アルミテープ等（導電性あるもの）であればシールド効果があり電界・磁界を遮断するため、過冷却効果は望めない。
【００５４】
以上のように、食品・食材等の収納物の保存性を従来になく向上させる効果を与えることができる。
【００５５】
しかし、引き出し式扉４が開かれたときは、電極５ａ、５ｂによる電場や磁場は引き出し式収納室１内に完全には印加されない。また、電界、磁界等が開口部から漏洩するので制御部６は電極５ａ、５ｂへの通電を停止する（ステップ３）。
【００５６】
つまり、引き出し式扉４が閉じているときは通電し、開いているときは通電を停止する構成である。
【００５７】
また、例えば、引き出し式収納室１内に電極５ａ、５ｂが設けられていると、引き出し式扉４が開くと共に電極５ａ、５ｂも制御部６から遠ざかる方向に移動する。つまり、配線７は、引き出し式収納室１が開かれた状態でも届く長さが必要となるため、引き出し式扉４が閉じられるときには配線７には弛みができる。よって、他の部位と干渉したり、噛み込んだり断線の原因となる。
【００５８】
この課題は、本実施の形態のように枠体３側に電極５ａ、５ｂを設置したことで解決され、引き出し式扉４の開閉によって他の部位と干渉したり噛み込んだり、断線することも無い。
【００５９】
また図４に、本実施の形態における配線７の長さと電極５ａ、５ｂ間に印加される電界強度との関係を示す特性図を示す。この特性図は、出力電圧２０００Ｖ、周波数４０ｋＨｚにて電極５ａ、５ｂに印加した際の実験データである。
【００６０】
図４に示したように、配線７を最短の０．１ｍとしたとき、約２０００Ｖ／ｍの電界強度が印加されているが、配線が長くなるに連れ電界強度が低下していくことが分かる。一般に、冷蔵庫の制御基板は冷蔵庫上部、または下部の背面に設置されていることが多いが、この構成では電極５ａ、５ｂと制御部６の距離が長く、配線７も長くなる。これにより電界強度の低下が懸念されるため、制御部６は引き出し式収納室１、または枠体３の構成部品に取り付けることが望ましい。これによって、電極５ａ、５ｂと制御部６の距離はほぼ最短になり、配線７の長さを極力抑えることができ、尚且つ電界の強さの低減を阻止できる。
【００６１】
また、制御部６はできるだけ常温環境に近い箇所に設置することが望ましいが、引き出し式収納室１内やその周囲のような低温環境下に置かれる可能性が高くなる。つまり、制御部６の出力特性変化や結露の可能性があるため、制御部６の周辺を断熱壁２ｃで覆う手法が考えられる。これにより、制御部６自身が低温になることを防止出来、完全にシルされている為、結露もなく制御部６の誤作動を防止できる。
【００６２】
更に、電極５ａ、５ｂ、制御部６、及び配線７から、電界、磁界等が漏洩することが考えられる。これにより、冷蔵庫内の電子部品類や、冷蔵庫の周辺に設置された家電製品等へのノイズ重畳による誤動作の可能性がある。これを防止するために、電極５ａ、５ｂ、制御部６、及び配線７の周囲をシールド材１４で囲う手法が考えられる。電界、磁界等はガスケット１５からも漏洩する可能性があるため、ガスケット１５内に金属粉やメッシュ金属網などを構成し、シールドの役割を持たせれば良い。
【００６３】
以上のように、本実施の形態においては、電極５ａ、５ｂを引き出し式収納室１内に設けず枠体３側に固定したことで、引き出し式扉４を開閉する際に、配線７が他の部位と干渉することが無く、引き出し式扉４を開閉することができる。
【００６４】
また、引き出し式扉４の開閉を検知する開閉検知手段１６を備えたことで、制御部６は、引き出し式扉４が開かれたときに電極５ａ、５ｂへの通電を停止させるので、無駄な電力消費と、感電事故や電界、磁界等の漏洩を防止することができる。
【００６５】
また、制御部６を引き出し式収納室１、または枠体３の構成部品に取り付けたことで、制御部６と電極５ａ、５ｂの距離はほぼ最短となるため、配線の長さをできる限り短くすることが可能となり、配線のインピーダンスや浮遊容量の発生等によって生じる電圧低下・電界強度の低下や周波数等の特性変化を防止することができる。
【００６６】
また、本発明の冷蔵庫は、制御部６を断熱壁２ｃによって覆うことで、低温度帯での制御部６の動作不良や結露を防止することができる。
【００６７】
また、引き出し式収納室１、電極５ａ、５ｂ、制御部６、配線７を、電界、磁界等の漏洩を軽減するシールド材１４で囲むことで、電界、磁界等の漏洩を軽減し、他の機器へのノイズ・雑音等の悪影響を防止することができる。
【００６８】
またさらに、本発明の冷蔵庫は冷凍装置１９により低温状態を保持するため、長期に収納物の鮮度を維持できる。
【００６９】
（実施の形態２）
図５は本発明の実施の形態２における収納庫（解凍庫）または冷蔵庫の引き出し式収納室の縦断面図、図６は本発明の実施の形態２における収納庫（解凍庫）または冷蔵庫の制御ブロック図である。
【００７０】
図５において、電極５ａは枠体３の天面に設けられ配線７を通して制御部６に接続されている。一方、電極５ｂは引き出し式収納室１の底面に設けられている。
【００７１】
また、引き出し式容器１ｂの背面には接点部１７ａが設けられ、電極５ｂと電気的に接続されている。さらに、枠体３の奥面には接点部１７ｂが設けられ、制御部６と配線７を通して接続されている。接点部１７ａ、１７ｂは、例えばコネクタのようなもので、確実に接合、分離できるものが望ましい。
【００７２】
以上の構成によって、引き出し式扉４を閉じると、接点部１７ａは接点部１７ｂと接合され、電極５ｂと制御部６が導通する。
【００７３】
また、接点部１７ｂの近傍には結露防止用ヒータ１８が設置されている。これは、引き出し式収納室１の内部や周辺が低温になったときに接点部１７ａ、１７ｂが結露し、この結露水によって漏電することを防止するために設ける。結露防止ヒータ１８は定期的に、または引き出し式扉４の開閉が行われた直後に通電すると効果的である。もちろん結露防止ヒータ１８は接点部１７ａの近傍に設けても良いし、接点部１７ａと接点部１７ｂの両方の近傍にそれぞれ設けても良い。
【００７４】
以上のように、本実施の形態においては、電極５ｂを引き出し式容器１ｂの底面に備え、引き出し式扉４を閉じたときに電極５ｂと制御部６との間に設けられた接点部１７ａ、１７ｂが接合され通電するように構成したことで、電極を引き出し式収納室１内に設置することができ、且つ配線の干渉・噛み込み無く引き出し式扉４を開閉することができる。尚、この構成では、引き出し式扉４を開く際に、接点部１７ａ、１７ｂが完全に離れる前に開閉検知手段１６の検知によって通電を停止することが望ましい。これによって、接点部１７ａ、１７ｂが中途半端な状態で通電し充分な出力が行えない状況や、接点部１７ａ、１７ｂ間にスパークが発生することを防止する。
【００７５】
また、接点部１７ｂ付近に結露防止用ヒータ１８を備えたことで、接点部１７ａ、１７ｂへの結露や凍結による漏電を防止することができる。
【産業上の利用可能性】
【００７６】
以上のように、本発明にかかる収納庫（解凍庫）または冷蔵庫は、例えば、家庭用又は業務用収納庫（解凍庫）または冷蔵庫の一室に電極等の電気的負荷を備える機器に応用できるものである。
【図面の簡単な説明】
【００７７】
【図１】本発明の実施の形態１における収納庫（解凍庫）または冷蔵庫の引き出し式収納室の縦断面図
【図２】本発明の実施の形態１における収納庫（解凍庫）または冷蔵庫の制御ブロック図
【図３】本発明の実施の形態１における収納庫（解凍庫）または冷蔵庫の制御フローチャート
【図４】本発明の実施の形態１における収納庫（解凍庫）または冷蔵庫の配線７の長さと電極５ａ、５ｂ間に印加される電界強度との関係を示す特性図
【図５】本発明の実施の形態２における収納庫（解凍庫）または冷蔵庫の引き出し式収納室の縦断面図
【図６】本発明の実施の形態２における収納庫（解凍庫）または冷蔵庫の制御ブロック図
【図７】従来の解凍保存庫の構成を示す縦断面図
【符号の説明】
【００７８】
１    引き出し式収納室
１ａ、１ｂ  引き出し式容器
２ａ、２ｂ、２ｃ  断熱壁
３    筐体
４    引き出し式扉
５ａ、５ｂ  電極
６    制御部
７    配線
８    商用電源
９    整流回路部
１０  スイッチング回路部
１１  マイコン
１２  駆動回路部
１３  昇圧トランス
１４  シールド材
１５  ガスケット
１６  開閉検知手段
１７ａ、１７ｂ  接点部
１８  結露防止用ヒータ
１９  冷凍装置
【図１】
2008106994.tif 000003
【図２】
2008106994.tif 000004
【図３】
2008106994.tif 000005
【図５】
2008106994.tif 000006
【図６】
2008106994.tif 000007
【図７】
2008106994.tif 000008
【図４】
2008106994.tif 000009